(57)【要約】【課題】折り畳み式の製品固定装置を折り畳む作業性を維持しつつ、ガタつきを抑えることを目的とする。【解決手段】製品固定装置は、台座にホルダー３０が取り付けられ、ホルダー３０により支柱４０が台座に固定される。支柱４０は、上側に移動されるとホルダー３０による固定が外れ、折り畳み可能な状態になる。製品固定装置は、ホルダー３０に対して回転可能に取り付けられ、回転した場合に支柱４０を上側に移動させるカム部５１と、カム部５１を回転させるためのレバー５２とを有する折り畳み補助部５０を備える。【選択図】図７
2016153320.tif 000002
【特許請求の範囲】
【請求項１】
製品が載せられる台座と、
前記台座に取り付けられたホルダーと、
前記ホルダーにより前記台座に固定される支柱であって、移動方向に移動されると前記ホルダーによる固定が外れる支柱と、
前記ホルダーに対して回転可能に取り付けられた補助部であり、回転した場合に前記支柱を前記移動方向に移動させるカム部と、前記カム部を回転させるためのレバーとを有する補助部と
を備える製品固定装置。
【請求項２】
前記支柱は、前記移動方向に移動されると前記ホルダーによる固定が外れ、前記ホルダーに対して回転可能な状態になる
請求項１に記載の製品固定装置。
【請求項３】
前記ホルダーは、前記移動方向側の端部に切欠きが形成されるとともに、スライド孔が形成され、
前記支柱は、キーとスライドピンとが設けられ、キーが前記切欠きに嵌められ、スライドピンが前記スライド孔に嵌められて、前記ホルダーに固定され、前記移動方向に移動されると、前記キーが前記切欠きから引き抜かれ、前記ホルダーによる固定が外れ、前記スライドピンを回転軸として前記ホルダーに対して回転可能な状態になる
請求項２に記載の製品固定装置。
【請求項４】
前記補助部は、前記カム部と前記レバーとが一体に形成され、回転軸となる軸部材により前記ホルダーに取り付けられた
請求項１から３までのいずれか１項に記載の製品固定装置。
【請求項５】
前記補助部は、前記カム部が回転軸となる軸部材により前記ホルダーに取り付けられ、前記レバーが前記軸部材に取り付けられた
請求項１から３までのいずれか１項に記載の製品固定装置。
【発明の詳細な説明】
【技術分野】
【０００１】
この発明は、製品を運搬等する場合に、製品を載せる製品固定装置に関する。
【背景技術】
【０００２】
製品はパレット等の製品固定装置に載せられて運搬される。一旦荷物を着荷地へ運び終えた後、回収時の体積を削減するために、製品固定装置には折り畳み構造となっているものがある。
【０００３】
特許文献１には、製品固定装置の中間棚の折り畳み構造について記載されている。
【先行技術文献】
【特許文献】
【０００４】
【特許文献１】特開２００５−９６５３２号公報
【発明の概要】
【発明が解決しようとする課題】
【０００５】
折り畳み構造となっている製品固定装置は、折り畳まれる部分に多少隙間を設けた構造になっている。隙間を設けたことが原因となり、製品固定装置がガタつく場合がある。特に、製品固定装置が重ねて積載された場合、製品の輸送時に揺れがあると、上段に積まれた製品固定装置が大きく揺れる場合がある。揺れが大きいと、固定された製品に悪影響があるだけでなく、予期せぬ荷崩れが発生する危険性もある。
しかし、折り畳まれる部分に隙間を設けないと、製品固定装置を折り畳む作業性が悪くなってしまう。
この発明は、製品固定装置を折り畳む作業性を維持しつつ、ガタつきを抑えることを目的とする。
【課題を解決するための手段】
【０００６】
この発明に係る製品固定装置は、
製品が載せられる台座と、
前記台座に取り付けられたホルダーと、
前記ホルダーにより前記台座に固定される支柱であって、移動方向に移動されると前記ホルダーによる固定が外れる支柱と、
前記ホルダーに対して回転可能に取り付けられた補助部であり、回転した場合に前記支柱を前記移動方向に移動させるカム部と、前記カム部を回転させるためのレバーとを有する補助部と
を備える。
【発明の効果】
【０００７】
この発明では、レバーを操作することによりカム部が回転して支柱を移動させ、ホルダーの固定を外すことができる。そのため、ホルダーと支柱との間の隙間を狭くし、支柱のガタつきを抑えても、折り畳む作業を容易に行うことができる。
【図面の簡単な説明】
【０００８】
【図１】製品固定装置１０の展開時の状態を示す図。
【図２】図１の破線で囲ったホルダー３０部分の拡大図。
【図３】製品固定装置１０の折り畳み時の状態を示す図。
【図４】図３のホルダー３０部分の拡大図。
【図５】実施の形態１に係る補助部５０の説明図。
【図６】実施の形態１に係る補助部５０の説明図。
【図７】実施の形態１に係る折り畳み機構の動作の説明図。
【図８】実施の形態２に係る補助部５０の構成図。
【図９】実施の形態２に係る補助部５０の構成図。
【図１０】実施の形態２に係る折り畳み機構の動作の説明図。
【発明を実施するための形態】
【０００９】
実施の形態１．
＊＊＊構成の説明＊＊＊
図１から図４に基づき、製品固定装置１０の基本構成について説明する。
【００１０】
図１は、製品固定装置１０の展開時の状態を示す図である。
製品固定装置１０は、製品が載せられる矩形の平面２１を有する台座２０と、台座２０の四隅に取り付けられた４つのホルダー３０と、各ホルダー３０により台座２０の四隅に固定された４つの支柱４０とを備える。
台座２０には、四隅に脚２２が設けられている。台座２０は、脚２２が下になるように設置される。
【００１１】
図２は、図１の破線で囲ったホルダー３０部分の拡大図である。
ホルダー３０には、切欠き３１と、スライド孔３２とが形成されている。切欠き３１は、ホルダー３０の上端側が開口した上下方向に長細い切欠きである。スライド孔３２は、上下方向に長細い孔である。
また、支柱４０には、キー４１とスライドピン４２とが設けられている。キー４１は、上下方向に長細く支柱４０の面から突出した出っ張りである。スライドピン４２は、円筒状に支柱４０の面から突出した出っ張りである。
そして、製品固定装置１０の展開時には、切欠き３１にキー４１が嵌り、スライド孔３２にスライドピン４２が嵌っている。
【００１２】
なお、図２では、ホルダー３０及び支柱４０の前面側だけが示されているが、背面側についても前面側と同じ構造になっている。つまり、製品固定装置１０の展開時には、前面側及び背面側の両側で、切欠き３１にキー４１が嵌り、スライド孔３２にスライドピン４２が嵌っている。
前面側及び背面側の両側で、切欠き３１にキー４１が嵌り、スライド孔３２にスライドピン４２が嵌っているため、支柱４０がホルダー３０に固定され、支柱４０が倒れることがない。
【００１３】
図３は、製品固定装置１０の折り畳み時の状態を示す図である。
製品固定装置１０は、各支柱４０が台座２０側に倒されて、折り畳まれる。これにより、製品固定装置１０が回収時に必要とするスペースを削減できる。
【００１４】
図４は、図３のホルダー３０部分の拡大図である。
支柱４０は、移動方向である上側に移動されると、キー４１が切欠き３１の上端側の開口から引き抜かれて、ホルダー３０による固定が外れる。この際、スライド孔３２は上下方向に長細い孔であるため、スライドピン４２はスライド孔３２に沿って移動するものの、抜けることはない。そのため、キー４１が切欠き３１から引き抜かれると、支柱４０は、スライドピン４２を回転軸としてホルダー３０に対して回転可能な状態になる。
そこで、キー４１が切欠き３１から引き抜かれた状態で、支柱４０をホルダー３０に対して回転させ、台座２０の平面２１と平行な状態にする。これにより、図３に示すように、製品固定装置１０を折り畳んだ状態にできる。
【００１５】
なお、製品固定装置１０の折り畳み時には、図３及び図４に示すように、支柱４０ａの上に支柱４０ｂが重ねられる。逆に、支柱４０ｂの上に支柱４０ａを重ねることも可能である。これは、スライドピン４２をスライド孔３２のどの位置にしても、支柱４０を回転させることができるため、実現できる。
【００１６】
ここで、支柱４０を移動方向である上側に容易に移動可能とするには、ホルダー３０と支柱４０との間に、ある程度の隙間を設ける必要がある。つまり、ホルダー３０と支柱４０との嵌め合いをきつくしてしまうと、支柱４０を上側に移動する作業が難しくなり、製品固定装置１０を折り畳む作業性が低下する。しかし、ホルダー３０と支柱４０との間に隙間を設けると、ガタつきの原因になる。
【００１７】
図５及び図６に基づき、製品固定装置１０を折り畳む作業性を維持しつつ、ガタつきを抑える構造について説明する。
【００１８】
図５及び図６は、実施の形態１に係る補助部５０の説明図である。図６では、ホルダー３０の前面側を除去した状態を示す。
製品固定装置１０は、図１から図４に示す構成に加え、補助部５０を備える。
【００１９】
補助部５０は、ホルダー３０に対して回転可能に取り付けられる。補助部５０は、回転した場合に支柱４０を移動方向である上側に移動させるカム部５１と、カム部５１を回転させるためのレバー５２とを有する。ここでは、補助部５０は、カム部５１とレバー５２とが一体に形成され、回転軸となる軸部材５３によりホルダー３０に取り付けられている。
【００２０】
＊＊＊動作の説明＊＊＊
図７は、実施の形態１に係る折り畳み機構の動作の説明図である。図７（Ａ）は、支柱４０がホルダー３０に固定された状態を示し、図７（Ｂ）は、ホルダー３０の固定が外れた状態を示す。
図７（Ａ）に示すように、支柱４０がホルダー３０に固定された状態では、カム部５１が下側に押し下げられ、レバー５２が上側に上がった状態になっている。ここで、図７（Ｂ）に示すように、レバー５２を下に押し下げると、軸部材５３を回転軸として補助部５０が回転して、カム部５１が支柱４０を移動方向である上側に押し上げ移動させる。これにより、キー４１が切欠き３１から引き抜かれ、ホルダー３０の固定が外れる。
補助部５０を用いた場合、てこの原理により、小さな力をレバー５２に加えるだけで、カム部５１が支柱４０を移動方向である上側に移動させる。
【００２１】
＊＊＊効果の説明＊＊＊
以上のように、実施の形態１に係る製品固定装置１０では、補助部５０がてこの原理により支柱４０を移動方向である上側に移動させる。そのため、ホルダー３０と支柱４０との嵌め合いをきつくして、ガタつきの発生を抑えても、製品固定装置１０を容易に折り畳むことができる。
【００２２】
実施の形態２．
実施の形態２は、補助部５０の構成が実施の形態１と異なる。実施の形態２では、この異なる点について説明する。
【００２３】
図８及び図９は、実施の形態２に係る補助部５０の構成図である。図９では、ホルダー３０の前面側を除去した状態を示す。
ここでは、補助部５０は、カム部５１が回転軸となる軸部材５３によりホルダー３０に取り付けられ、レバー５２が軸部材５３に取り付けられている。
【００２４】
図１０は、実施の形態２に係る折り畳み機構の動作の説明図である。図１０（Ａ）は、支柱４０がホルダー３０に固定された状態を示し、図１０（Ｂ）は、ホルダー３０の固定が外れた状態を示す。
図１０（Ａ）に示すように、支柱４０がホルダー３０に固定された状態では、カム部５１が下側に押し下げられ、レバー５２が上側に上がった状態になっている。ここで、図１０（Ｂ）に示すように、レバー５２を下に押し下げると、軸部材５３を回転軸として補助部５０が回転して、カム部５１が支柱４０を移動方向である上側に押し上げ移動させる。これにより、キー４１が切欠き３１から引き抜かれ、ホルダー３０の固定が外れる。
補助部５０を用いた場合、てこの原理により、小さな力をレバー５２に加えるだけで、カム部５１が支柱４０を移動方向である上側に移動させる。
【００２５】
以上のように、実施の形態２に係る製品固定装置１０も、実施の形態１に係る製品固定装置１０と同じ効果を奏することができる。
【符号の説明】
【００２６】
１０  製品固定装置、２０  台座、２１  平面、２２  脚、３０  ホルダー、３１  切欠き、３２  スライド孔、３３  軸孔、４０  支柱、４１  キー、４２  スライドピン、５０  補助部、５１  カム部、５２  レバー、５３  軸部材。
【図１】
2016153320.tif 000003
【図２】
2016153320.tif 000004
【図３】
2016153320.tif 000005
【図４】
2016153320.tif 000006
【図５】
2016153320.tif 000007
【図６】
2016153320.tif 000008
【図７】
2016153320.tif 000009
【図８】
2016153320.tif 000010
【図９】
2016153320.tif 000011
【図１０】
2016153320.tif 000012